(57)【要約】      （修正有）【課題】通風システムの管ベースと導風カバーとの間に取り付ける濾過装置を提供する。【解決手段】管ベースに接続される吸込口と、導風カバー２００に接続される吹出口と、吸込口と吹出口との間に係止される遮蔽部１３とを含み、遮蔽部によって少なくとも１つの連通路１３１が囲まれて構成される本体と、本体に設けられて少なくとも１つの連通路に対応し、少なくとも１つの光触媒材料が設けられる少なくとも１つの濾材２０と、本体に設けられ、少なくとも１つの光源の光照射範囲が少なくとも１つの連通路に対応する少なくとも１つの光源と、を含む。【選択図】図３
0003233541.tif 000002
【実用新案登録請求の範囲】
【請求項１】
通風システムの管ベースと導風カバーとの間に取り付ける濾過装置であって、
前記管ベースに接続される吸込口と、前記導風カバーに接続される吹出口と、前記吸込口と前記吹出口との間に係止される遮蔽部とを含み、前記遮蔽部によって少なくとも１つの連通路が囲まれて構成される本体と、
前記本体に設けられて前記少なくとも１つの連通路に対応し、少なくとも１つの光触媒材料が設けられる少なくとも１つの濾材と、
前記本体に設けられ、光照射範囲が前記少なくとも１つの連通路に対応する少なくとも１つの光源と、を含む濾過装置。
【請求項２】
前記本体の高さ方向において、前記少なくとも１つの濾材及び前記少なくとも１つの光源は、前記連通路の対向する両側にそれぞれ位置する、請求項１に記載の濾過装置。
【請求項３】
前記本体は、少なくとも１つの内向きに延びる組立フレームをさらに含み、前記少なくとも１つの光源は、前記少なくとも１つの組立フレームに設けられる、請求項１に記載の濾過装置。
【請求項４】
少なくとも１つの前記組立フレームは、前記本体の２つの側壁の間に掛け渡される、請求項３に記載の濾過装置。
【請求項５】
前記本体の内側面には前記吹出口に隣接する段差部が周設され、前記段差部は、前記導風カバーの外周面に当接する、請求項１に記載の濾過装置。
【請求項６】
前記本体は、前記吸込口と前記吹出口との間に着脱可能に設けられるプレートフレームをさらに含み、前記プレートフレームには前記遮蔽部及び前記少なくとも１つの連通路が設けられる、請求項１に記載の濾過装置。
【請求項７】
前記本体の１つの側壁には貫通溝が設けられ、前記プレートフレームは前記貫通溝に挿脱交換可能に挿設される、請求項６に記載の濾過装置。
【請求項８】
前記本体の内側面には複数のラグが設けられ、前記複数のラグには前記本体の高さ方向に前記プレートフレームが係止保持され、前記プレートフレーム及び少なくとも１つの前記ラグには突合せ可能な第１位置決め部及び第２位置決め部がそれぞれ設けられる、請求項６に記載の濾過装置。
【請求項９】
前記高さ方向において、前記少なくとも１つの濾材及び前記少なくとも１つの光源は、前記連通路の対向する両側にそれぞれ位置し、
前記本体は、少なくとも１つの内向きに延びる組立フレームをさらに含み、前記少なくとも１つの光源は、前記少なくとも１つの組立フレームの前記吸込口に面する側に設けられ、
少なくとも１つの前記組立フレームは、前記本体の２つの側壁の間に掛け渡され、
前記少なくとも１つの光源と前記少なくとも１つの濾材とのピッチは１００ｍｍ以下であり、
前記濾過装置は、少なくとも１つの前記光源が設けられた少なくとも１つの回路装置をさらに含み、
各前記光源は可視光の発光ダイオードであり、
各前記組立フレームには複数の組立凸部が間隔を空けて設けられ、各前記回路装置には前記複数の組立凸部に対応可能な複数の組立凹部が設けられ、
前記本体の内側面には前記吹出口に隣接する段差部が周設され、前記段差部は前記導風カバーの外周面に当接し、
前記本体の外側面には前記吸込口に隣接するガイド部が周設され、前記ガイド部は前記管ベースの内側面に当接し、
前記本体の１つの側壁には貫通溝が設けられ、前記プレートフレームは前記貫通溝に挿脱交換可能に挿設され、
前記少なくとも１つの濾材には銀ナノ材料がさらに設けられ、
前記遮蔽部の遮蔽面積は、前記吸込口で囲まれて構成される面積の少なくとも１／５であり、
前記複数のラグは、前記高さ方向に上下に配置され、前記プレートフレームは、前記複数のラグの間に介在され、
前記第１位置決め部及び前記第２位置決め部のうちの一方は、少なくとも１つの係合凸部を含み、他方は、前記少なくとも１つの係合凸部と係合可能な少なくとも１つの係合凹部を含む、請求項８に記載の濾過装置。
【請求項１０】
前記少なくとも１つの光源の光線は、前記吸込口の方向に照射される、請求項１〜９のいずれか１項に記載の濾過装置。
【考案の詳細な説明】
【技術分野】
【０００１】
本考案は、濾過装置に関する。
【背景技術】
【０００２】
通常、室内空間に通風空調システムが設けられ、それにより空気の流通を維持して室内空気の品質を向上させる。一般的に、通風空調システムでは、空気を通風口により室内に排出し、且つ室内から一定体積の空気を吸い戻し、吸い戻された空気は、大部分がシステムで再処理され、少ない部分が室外に排出されるように循環して流れる。一般的に通風空調システムの濾過効果が限られるため、排出された空気をさらに浄化するために、通常、通風口に濾過装置が取り付けられる。
【０００３】
しかしながら、従来の濾過装置には、通常、複数の濾過層が設けられ、風量低下や通風効果の低下を招きやすいという問題がある。さらに、従来の濾過装置又は他の一部の部品が該通風口の管ベース又は導風カバーに直接組み立てられるため、セット全体で取り外す必要があり、従来の通風口構造に直接適用できず、且つ組み立て及びメンテナンスしにくい。また、該濾過装置は、空気がその有効濾過範囲を確実に通過させることも確保できず、そのため、濾過が確実でないという恐れがあり、改善が必要な欠点がある。
【考案の概要】
【考案が解決しようとする課題】
【０００４】
ここで、上記問題を解決するために、新規で進歩性を有する濾過装置を提供する必要がある。
【０００５】
本考案の主な目的は、濾過効果が高く且つ適用範囲が広い濾過装置を提供することである。
【課題を解決するための手段】
【０００６】
上記目的を達成するために、本考案は、通風システムの管ベースと導風カバーとの間に取り付ける濾過装置を提供し、該管ベースに接続される吸込口と、該導風カバーに接続される吹出口と、該吸込口と該吹出口との間に係止される遮蔽部とを含み、該遮蔽部によって少なくとも１つの連通路が囲まれて構成される本体と、該本体に設けられて該少なくとも１つの連通路に対応し、少なくとも１つの光触媒材料が設けられる少なくとも１つの濾材と、該本体に設けられ、光照射範囲が該少なくとも１つの連通路に対応する少なくとも１つの光源と、を含む。
【図面の簡単な説明】
【０００７】
【図１】本考案の好ましい実施例の斜視図である。
【図２】本考案の好ましい実施例の部分分解図である。
【図３】本考案の好ましい実施例の分解図である。
【図４】図３の部分拡大図である。
【図５】本考案の好ましい実施例の使用模式図である。
【図６】本考案の好ましい実施例の使用模式図である。
【図７】本考案の他の好ましい実施例の斜視図である。
【考案を実施するための形態】
【０００８】
以下、実施例にて本考案の可能な実施形態を説明するが、本考案の特許範囲を制限することを意図していない。
【０００９】
図１から６に示すように、それは本考案の好ましい実施例が示され、本考案の濾過装置１は、通風システムの管ベース１００と導風カバー２００との間に取り付け、該濾過装置１は、本体１０、少なくとも１つの濾材２０及び少なくとも１つの光源３０を含む。
【００１０】
該本体１０は、該管ベース１００に接続される吸込口１１と、該導風カバー２００に接続される吹出口１２と、該吸込口１１と該吹出口１２との間に係止される遮蔽部１３と、を含み、該遮蔽部１３によって少なくとも１つの連通路１３１が囲まれて構成される。該少なくとも１つの濾材２０は、該本体１０に設けられて該少なくとも１つの連通路１３１に対応し、且つ少なくとも１つの光触媒材料が設けられる。該少なくとも１つの光源３０は、該本体１０に設けられ、該少なくとも１つの光源３０の光照射範囲は該少なくとも１つの連通路１３１に対応する。これにより、該少なくとも１つの光源３０は、少なくとも１つの光触媒材料を活性化させて殺菌効果を生じるように、該少なくとも１つの濾材２０に照射することができ、該少なくとも１つの連通路１３１は、空気が該少なくとも１つの濾材２０の有効濾過範囲を流れることを確保でき、濾過効果が高く且つ適用範囲が広い。
【００１１】
該本体１０の高さ方向において、該少なくとも１つの濾材２０及び該少なくとも１つの光源３０は、該連通路１３１の対向する両側にそれぞれ位置し、該少なくとも１つの光源３０の光線は、該連通路１３１を介して該少なくとも１つの濾材２０に照射することができる。好ましくは、該少なくとも１つの光源３０と該少なくとも１つの濾材２０とのピッチは１００ｍｍ以下であり、光照射範囲が広く、且つ該少なくとも１つの濾材２０の該少なくとも１つの連通路１３１に対応する部分に比較的全面的に照射でき、そして、該少なくとも１つの光源３０が該高さ方向に沿って該少なくとも１つの濾材２０に直接照射することにより、光強度が十分であり、該少なくとも１つの光触媒材料を効果的に活性化させることができ、殺菌及び濾過効果が良好である。該少なくとも１つの濾材２０には銀ナノ材料がさらに設けられることが好ましく、抗菌効果を増加させる。本実施例では、各該光源３０は可視光の発光ダイオードであり、該少なくとも１つの光触媒材料は、可視光で活性化されてラジカルを発生して殺菌効果を達成でき、体積が小さく、光強度が十分であり、安全性が高く且つ適用範囲が広い。ただし、該少なくとも１つの光触媒材料は、必要に応じて紫外光で活性化される材料を選択し、且つ該少なくとも１つの光源として紫外光を合わせて使用してもよい。
【００１２】
詳しくは、該本体１０は、少なくとも１つの内向きに延びる組立フレーム１４をさらに含み、該少なくとも１つの光源３０は該少なくとも１つの組立フレーム１４に設けられる。少なくとも１つの該組立フレーム１４は、該本体１０の２つの側壁の間に掛け渡され、該少なくとも１つの濾材２０の該本体１０の中間に位置する部分に照射する光強度を十分に確保することができ、殺菌効果が良好である。該濾過装置１は、少なくとも１つの該光源３０が設けられた少なくとも１つの回路装置４０をさらに含み、該回路装置４０は、例えばライトステー、回路基板等であるが、これらに限定されず、加工及び組み立てをしやすい。好ましくは、各該組立フレーム１４には複数の組立凸部１４１が間隔を空けて設けられ、各該回路装置４０には該複数の組立凸部１４１に対応可能な複数の組立凹部４１が設けられ、組み立てと位置決めしやすく且つ交換及びメンテナンスをしやすい。ただし、各該組立フレームに該複数の組立凹部が設けられ、各該回路装置に該複数の組立凸部が設けられてもよい。各該回路装置は該組立フレームに直接接着固定されてもよい。
【００１３】
図１から図３を参照すると、本実施例では、該遮蔽部１３の遮蔽面積は、該吸込口１１で囲まれて構成される面積の少なくとも１／５であり、該少なくとも１つの連通路１３１は十字状に延びており、空気の流れ方向を効果的に案内することができる。該少なくとも１つの組立フレーム１４は、該連通路１３１に対応するように該本体１０の各側壁間に一体的に掛け渡され、構造的強度が良好である。該少なくとも１つの光源３０は、該少なくとも１つの組立フレーム１４の該吸込口１１に面する側に設けられ、該少なくとも１つの濾材２０は、該少なくとも１つの連通路１３１の該吸込口１１に隣接する側に位置し、該少なくとも１つの光源３０の光線は、該吸込口１１の方向に照射され、外部光線による干渉を受けず、且つ該少なくとも１つの光触媒材料に対する活性化効果が良好である。ただし、該少なくとも１つの連通路は、必要に応じて例えば円形、矩形等の他の構成に配置されてもよい。該少なくとも１つの光源は、各該濾材の相対位置に応じて異なる方向に照射してもよい。
【００１４】
該本体１０の内側面には該吹出口１２に隣接する段差部１５が周設され、該段差部１５は該導風カバー２００の外周面に当接する。該本体１０の外側面には該吸込口１１に隣接するガイド部１６が周設され、該ガイド部は該管ベース１００の内側面に当接し、一般的な仕様の該導風カバー２００と該管ベース１００との間に組み立てやすく、且つ既存の通風口構造を変更する必要がなく、構造が簡単であり且つ適用範囲が広い。
【００１５】
該本体１０は、該吸込口１１と該吹出口１２との間に着脱可能に設けられるプレートフレーム１７をさらに含み、該プレートフレーム１７には該遮蔽部１３及び該少なくとも１つの連通路１３１が設けられる。該本体１０の１つの側壁には貫通溝１８が設けられ、該プレートフレーム１７は、該貫通溝１８に挿脱交換可能に挿設され、該少なくとも１つの濾材２０は該プレートフレーム１７に設けられ、該少なくとも１つの濾材２０を交換しやすい。他の実施例では、該少なくとも１つの濾材は該少なくとも１つの連通路に直接設けられてもよい。図５及び図６を参照すると、好ましくは、該本体１０の内側面には複数のラグ１９が設けられ、該複数のラグ１９には該高さ方向に該プレートフレーム１７が係止保持され、該プレートフレーム１７及び少なくとも１つの該ラグ１９には突合せ可能な第１位置決め部１７１及び第２位置決め部１９１がそれぞれ設けられる。該第１位置決め部１７１及び該第２位置決め部１９１のうちの一方は、少なくとも１つの係合凸部１７２を含み、他方は、該少なくとも１つの係合凸部１７２と係合可能な少なくとも１つの係合凹部１９２を含み、構造が簡単で且つ安定的に組み立て可能である。本実施例では、該第１位置決め部１７１は２つの該係合凸部１７２を含み、該第２位置決め部１９１は、２つの該ラグ１９に設けられる２つの該係合凹部１９２を含み、該２つの係合凹部１９２が設けられた該２つのラグ１９には、該係合凹部１９２に連通するガイド溝１９３がそれぞれ設けられ、該プレートフレーム１７の１つの移動方向に該２つの係合凸部１７２を案内して該２つの係合凹部１９２内に移動させることができる。該複数のラグ１９は、該高さ方向に上下に配置され、該プレートフレーム１７は該複数のラグ１９の間に介在され、組立安定性が良好である。
【００１６】
図７を参照すると、本考案の他の好ましい実施例では、該プレートフレーム１７ａの遮蔽部１３ａによって矩形をなす２つの該連通路１３１ａが囲まれて構成され、該本体１０ａは、該本体１０ａの対向する両側壁の間に掛け渡された２つの該組立フレーム１４ａを含み、該２つの組立フレーム１４ａは該２つの連通路１３１ａに対応し、同様に該少なくとも１つの光源３０の光線を該２つの連通路１３１ａを介して該少なくとも１つの濾材２０の該２つの連通路１３１ａに対応する部分に照射させることができ、殺菌及び濾過効果が良好である。
【符号の説明】
【００１７】
１    濾過装置
１０、１０ａ    本体
１１    吸込口
１２    吹出口
１３、１３ａ    遮蔽部
１３１、１３１ａ    連通路
１４、１４ａ    組立フレーム
１４１    組立凸部
１５    段差部
１６    ガイド部
１７、１７ａ    プレートフレーム
１７１    第１位置決め部
１７２    係合凸部
１８    貫通溝
１９    ラグ
１９１    第２位置決め部
１９２    係合凹部
１９３    ガイド溝
２０    濾材
３０    光源
４０    回路装置
４１    組立凹部
１００    管ベース
２００    導風カバー
【図１】
0003233541.tif 000003
【図２】
0003233541.tif 000004
【図３】
0003233541.tif 000005
【図４】
0003233541.tif 000006
【図５】
0003233541.tif 000007
【図６】
0003233541.tif 000008
【図７】
0003233541.tif 000009